【事件の表示】
　特許第２９０７８１０号「弾球遊技機」の請求項１、２に係る特許に対する特許異議の申立てについて、次のとおり決定する。
【結　論】
　特許第２９０７８１０号の請求項１、２に係る特許を取り消す。
【理　由】
 第１．手続の経緯
　本件特許第２９０７８１０号の請求項１、２に係る発明は、平成１年４月２４日に出願された特願平１−１０４２５５号の一部を平成１０年４月６日に新たな特許出願としたものであって、平成１１年４月２日にその特許の設定登録がされ、その後、平成１１年１２月２１日に市川純より、特許異議の申立てがあり、平成１２年５月１０日付けで取消理由通知がなされ、その指定期間内である平成１２年７月２４日に特許異議意見書の提出と共に訂正請求がなされた後、平成１２年１１月１６日付けで訂正拒絶理由通知がなされ、これに対して平成１３年１月２９日に特許異議意見書が提出されたものである。
　　
第２．訂正請求について
１．請求の趣旨及び訂正事項
　訂正請求の趣旨は、特許第２９０７８１０号の明細書を訂正請求書に添付した訂正明細書のとおり訂正することを求めるものであり、その訂正事項は、以下ａ乃至ｆのとおりである。
　ａ．特許明細書の特許請求の範囲を、
　「【特許請求の範囲】　【請求項１】　払い出された景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、入賞玉を検出する入賞玉検出手段と、を備えた弾球遊技機において、前記満タン検出手段及び前記入賞玉検出手段からの信号を、前記電気的遊技装置を駆動制御する遊技制御手段にそれぞれ入力し、該遊技制御手段は、前記満タン検出手段からの信号に基づいて前記景品玉払出装置の電気的駆動源の駆動を停止制御すると共に、前記入賞玉検出手段からの信号に基づく入賞玉に関連する情報の記憶値であってリセット信号に基づいて消去可能な記憶値に基づいて前記景品玉払出装置の電気的駆動源を駆動制御することを特徴とする弾球遊技機。」と訂正する。
　ｂ．特許明細書の段落【０００１】の記載を、
　「【０００１】　【発明の属する技術分野】　本発明は、払い出された景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、入賞玉を検出する入賞玉検出手段と、を備えた弾球遊技機に関するものである。」と訂正する。
　ｃ．特許明細書の段落【０００４】の記載を、
　「【０００４】　【課題を解決するための手段】　上記した目的を達成するために、本発明が採用した具体的な解決手段を図面を参照して説明すると、図１，図８及び図１１に示すように、払い出された景品玉が所定量になったことを検出する満タン検出手段としての満タン検出器７９と、入賞玉の発生に基づいて所定個数の景品玉を払い出す景品玉払出装置の電気的駆動源としての景品玉払出モータ１０３と、遊技盤１２上に設けられた電気的遊技装置としての可変表示装置１５や可変入賞球装置２０等と、入賞玉を検出する入賞玉検出手段としての入賞玉検出器５９，６０と、を備えた弾球遊技機１において、前記満タン検出器７９及び入賞玉検出器５９，６０からの信号を、前記可変表示装置１５や可変入賞球装置２０等の電気的遊技装置を駆動制御する遊技制御手段としてのマイクロコンピュータ１６０を含む回路基板１４１にそれぞれ入力し、該回路基板１４１は、前記満タン検出器７９からの信号に基づいて前記景品玉払出装置の景品玉払出モータ１０３の駆動を停止制御することを特徴とすると共に、前記入賞玉検出器５９，６０からの信号に基づく入賞玉に関連する情報の記憶値であってリセット信号に基づいて消去可能な記憶値に基づいて前記景品玉払出装置の景品玉払出モー夕１０３を駆動制御するものである。このように構成することにより、遊技盤１２以外の機構板等に設けられる満タン検出器７９と景品玉払出モータ１０３の制御の解析を回路基板１４１のプログラムを解析することにより、簡単に行なうことができる。」と訂正する。
　ｄ．特許明細書の段落【０００５】の記載を、
　「【０００５】　また、図８及び図１１に示すように、前記回路基板１４１には、入賞玉検出器５９，６０からの信号に基づく入賞玉に関連する情報の記憶値であってリセット言号に基づいて消去可能な記憶値に基づいて前記景品玉払出装置の景品玉払出モータ１０３を駆動制御するように構成することにより、機構板に設けられる景品玉払出に係る電気的部品５９，６０，１０３，９６の制御の解析を回路基板１４１のプログラムを解析することにより、簡単に行なうことができる。」と訂正する。
　ｅ．特許明細書の段落【００５４】の記載を、
　「【００５４】　【発明の効果】　以上、説明したところから明らかなように、この発明に係る弾球遊技機は、払い出された景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、入賞玉を検出する入賞玉検出手段と、を備えた弾球遊技機において、前記満タン検出手段及び前記入賞玉検出手段からの信号を、前記電気的遊技装置を駆動制御する遊技制御手段にそれぞれ入力し、該遊技制御手段は、前記満タン検出手段からの信号に基づいて前記景品玉払出装置の電気的駆動源の駆動を停止制御すると共に、前記入賞玉検出手段からの信号に基づく入賞玉に関連する情報の記憶値であってリセット信号に基づいて消去可能な記憶値に基づいて前記景品玉払出装置の電気的駆動源を駆動制御するので、遊技盤以外の機構板等に設けられる満タン検出手段と景品玉払出装置の電気的駆動源の制御の解析を遊技制御手段のプログラムを解析することにより、簡単に行うことができる。」と訂正する。
　ｆ．特許明細書の段落【００５５】の記載を、
　「【００５５】　また、前記遊技制御手段には、入賞玉検出手段からの信号に基づく入賞玉に関連する情報の記憶値であってリセット信号に基づいて消去可能な記憶値に基づいて前記景品玉払出装置の電気的駆動源を駆動制御するように構成することにより、機構板に設けられる景品玉払出に係る電気的部品の制御の解析を遊技制御手段のプログラムを解析することにより、簡単に行なうことができる。」と訂正する。
　　　
２．訂正の目的の適否、新規事項の有無及び拡張変更の存否の判断
　前記訂正事項ａは、特許明細書の特許請求の範囲の請求項１を削除し、請求項２を繰り上げ、さらに「前記入賞玉検出手段からの信号に基づいて前記景品玉払出装置の電気的駆動源をも駆動制御する」を「前記入賞玉検出手段からの信号に基づく入賞玉に関連する情報の記憶値であってリセット信号に基づいて消去可能な記憶値に基づいて前記景品玉払出装置の電気的駆動源を駆動制御する」と訂正するものであるから、特許請求の範囲の減縮を目的とするものであり、また、上記訂正事項ｂ乃至ｆは、前記特許請求の範囲の減縮に伴って、減縮された特許請求の範囲の記載と発明の詳細な説明の記載とを整合させるために訂正する、明りょうでない記載の釈明を目的とするものであり、そして、これらの訂正事項ａ乃至ｆは、特許明細書に記載された事項の範囲内において訂正するものであるから新規事項の追加に該当せず、また、実質上特許請求の範囲を拡張し又は変更するものでもない。
　　　　
３．独立特許要件の適否の判断
　以下、訂正明細書の請求項１に係る発明（前記訂正事項ａ参照）が特許出願の際独立して特許を受けることができるものか否かについて、当審が訂正拒絶理由通知において示した下記の引用刊行物に記載の発明に基づいて検討する。
　引用刊行物
　引用例１；特開昭６４−２７５７８号公報（甲第１号証）
　引用例２；特開昭６０−１５０７７０号公報（甲第４号証）
　　
　（１）引用刊行物に記載の発明
　i．引用例１〔特開昭６４−２７５７８号公報〕には、
（イ）「入賞領域を形成した遊技盤と、打球発射位置に打球を供給する打球供給皿と、該打球供給皿に景品玉が充満したときに余剰の景品玉を貯溜する余剰景品玉受皿と、前記打球供給皿と余剰景品玉受皿とを連通する連通部と、所定の入賞態様により景品玉を払出す景品玉払出装置と、を含む弾球遊技機において、・・・前記連通部の打球供給皿側に設けられ、景品玉が満杯となったことを検出する第２の景品玉量検出手段、・・・前記第２の景品玉量検出手段出力に応じて、複数種類の遊技動作におけるある種の遊技動作を不能動化する遊技不能動化手段、前記第２の景品玉量検出手段出力のあったことに応じて前記不能動化された動作に関連する情報を記憶する情報記憶手段、および前記第２の景品玉量検出手段出力がなくなったことに応じて、前記不能動化された遊技動作を前記情報記憶手段に記憶された情報に基づいて再開するように駆動制御する駆動制御手段、を備えた弾球遊技機。」（特許請求の範囲第１項）、
（ロ）「前記遊技不能動化手段は、前記景品玉払出装置の作動を停止する停止手段であり、前記情報記憶手段に記憶される情報は前記停止手段の出力が導出されたときに、景品玉を払出していない入賞玉数であり、前記駆動制御手段は、前記記憶された入賞玉数だけ前記景品玉払出装置を作動させる特許請求の範囲第１項ないし第５項のいずれかに記載の弾球遊技機。」（特許請求の範囲第９項）、
（ハ）「前記景品玉払出装置は、前記電気的景品玉払出装置であり、前記景品玉払出装置の作動を停止する停止手段は、前記電気的景品玉払出装置の電気的駆動源への払出指令信号を停止する停止手段である特許請求の範囲第９項記載の弾球遊技機。」（特許請求の範囲第１１項）、
（ニ）「遊技盤６の遊技領域には、通常入賞口９ａ〜９ｇ、始動入賞口１０，１１ａ，１１ｂ、複数の回転ドラム１２ａ〜１２ｃを有する可変表示装置１３、開閉扉１５を有する可変入賞球装置１４、特定遊技状態表示ランプ（サイドランプ）１６ａ，１６ｂ、アウト口１７等が夫々配設される。」（４頁左上欄８〜１４行）、
（ホ）「始動入賞玉検出スイッチ１８，１９ａ，１９ｂ、ストップスイッチ２１、繰り返し条件検出スイッチ（Ｖ入賞玉検出スイッチ）２６、所定入賞玉数検出スイッチ（１０カウント検出スイッチ）２９、および受光器２５ａ〜２５ｄは、主として遊技盤６に関連して設けられた入力装置をそれぞれ構成し、特定遊技状態表示ランプ（サイドランプ）１６ａ，１６ｂ、ＬＥＤランプ２０ａ〜２０ｄ、ドラムモータ２２、ドラムソレノイド２３ａ〜２３ｃ、投光器２４ａ〜２４ｄ、Ｖ入賞表示ランプ２７、ソレノイド２８、入賞口ランプ３０，３１、枠ランプ３２、ディジタル表示器３３，３４、およびスピーカー３７は遊技盤６を含むパチンコ遊技機１に関連して設けられた出力装置をそれぞれ構成する。そして、後述する制御回路基板７３に含まれる遊技制御回路によって上記した入力装置からの入力信号を受けて、上記した出力装置に制御信号が送られる。」（５頁右上欄１０行〜左下欄７行）、
（ヘ）「景品玉払出装置として・・・前記入賞玉通路６７に入賞玉検出器を設け、該検出器の出力に基づいて前記伝達リンク６９ａをソレノイド等の電気的駆動源で作動させて、所定数の景品玉を排出させたり、あるいは第７図及び第８図に示されるようなモータ等の電気的な駆動源を用いた景品玉払出装置であっても良い。」（６頁左上欄１７行〜右上欄４行）、
（ト）「入賞玉通路６７の途中に設けられた入賞玉検出器８７の検出信号に基づいて駆動モータ８４の回転を開始し、この景品玉検出器８６によって払出される景品玉数を計数しながら所定数になったときに駆動モータ８４を停止するようにすれば、任意の数の景品玉を払出すことが可能である。」（６頁右下欄１〜７行）、
（チ）「上述した機械的あるいは電気的景品玉払出装置は、共に遊技の不能動化の対象となるものである。・・・前記電気的景品玉払出装置にあっては、払出装置を駆動するソレノイドやモータ等の電気的駆動源に払出指令信号を送らないようにすれば、同じく景品玉の払出という遊技動作を不能動化することができる。」（６頁右下欄１２行〜７頁左上欄４行）、
（リ）「第４図に基づいて第２の景品玉量検出器９０について説明する。図において、前記連通部６４の前記打球発射機構３８寄りの側壁６４ａ近傍に回動支軸９１を突設し、該回動支軸９１にはほぼ逆Ｌ字状の景品玉検出板９２が回動自在に枢支され、・・・検出板９２が景品玉に押圧されて揺動したときに、該突出作動片９４の先端が、連通部６４の側壁６４ａに隣接されたマイクロスイッチ９５のアクチュエータ９６を作動させるようになっている。そしてマイクロスイッチ９５が作動されることによって、・・・、前記電気的景品玉払出装置８０の駆動モータ８４の回転を停止せしめ、もって景品玉の払出という遊技を不能動化させることができる。」（７頁右上欄６行〜左下欄８行）、
（ヌ）「第１図は制御回路構成ブロック図である。図において、制御回路は制御中枢としてのマイクロコンピュータ１２０を含む。マイクロコンピュータ１２０は以下に述べるようなパチンコ遊技機１の全体の動作を制御する機能を有する。」（８頁左上欄１３〜１８行）、
（ル）「第２の景品玉量検出手段としての第２の景品玉量検出器９０がＯＮしたことに応答して、第２の景品玉量検出回路１３２から満杯状態検出信号がマイクロコンピュータ１２０に与えられる。始動入賞口１０，１１ａ，１１ｂのそれぞれに対応して設けられた始動入賞玉検出スイッチ１８，１９ａ，１９ｂの検出信号は始動入賞玉検出回路１３３に与えられ、マイクロコンピュータ１２０に始動入賞玉検出信号が与えられる。」（８頁左下欄末行〜右下欄第９行）、
と記載されている。
　そして、上記（ハ）、（ヘ）〜（ル）の記載内容からみれば、マイクロコンピュータが、第２の景品玉量検出手段からの信号及び入賞玉検出器からの信号を受け、電気的景品玉払出装置の電気的駆動源に対してその払出又は停止指令信号を出力するようにすることは、自明の事柄と認められる。
　以上の（イ）〜（ル）及び図面の記載からみて、引用例１には、
　「払い出された景品玉が満杯になったことを検出する第２の景品玉量検出手段と、入賞玉の発生に基づいて所定個数の景品玉を払い出す景品玉払出装置の駆動モータ等の電気的駆動源と、遊技盤上に設けられた可変表示装置や可変入賞球装置等の電気的遊技装置と、入賞玉を検出する入賞玉検出器と、を備えた弾球遊技機において、前記第２の景品玉量検出手段及び前記入賞玉検出器からの信号を、前記電気的遊技装置を駆動制御するマイクロコンピュータにそれぞれ入力し、該マイクロコンピュータは、前記第２の景品玉量検出手段からの信号に基づいて前記景品玉払出装置の電気的駆動源の駆動を停止制御すると共に、前記入賞玉検出器からの信号に基づく入賞玉に関連する情報の記憶値に基づいて前記景品玉払出装置の電気的駆動源を駆動制御することを特徴とする弾球遊技機。」、
という発明が記載されていると認められる。
　　　
　ii．引用例２〔特開昭６０−１５０７７０号公報〕には、
（イ）「本発明の特徴は、入賞球計数用と排出回数計数用とに夫々専用の第一、第二のカウンタを用い、両カウンタに独立の時間系での計数(即ち非同期的計数動作)を許した上で、両カウンタ内容をデジタル・コンパレータで比較することにより、第一カウンタ内容Niと第二カウンタ内容Noとが異なる時にはその不一致信号により排出指令をし、両カウンタ内容が同じになった時には当該デジタル・コンパレータから発せられる一致信号に基いて排出停止信号を発し、次回の排出動作の停止乃至禁止を図る点にある。」（２頁右下欄１０〜末行）、
（ロ）「入賞検出器６による一球毎の入賞検出信号Piは、積分回路等の適当な波形成形回路21を介して第一カウンタ22に送られる。・・・一方、賞球排出機構７が動作する度に、より詳しくは排出指令または排出確認が行なわれる度に、その発生メカニズムは後述するが排出信号Poが発生し、この信号Poが第二カウンタ23に送られる。・・・第一カウンタ22のカウント内容Niと第二カウンタ23のカウント内容Noとは経時的、連続的、且つ非同期的にデジタル・コンパレータ24で比較され、・・・そして、その中に賞球排出回数が入賞球数に追い付いたら（No＝Niとなったら）、デジタル・コンパレータ24の出力Scが“Ｌ”レベルに立ち下がることに基づいて排出指令信号Soを停止させ、乃至“Ｌ”レベルで有意の排出停止信号Soを発生させて、次の賞球排出動作は行なわれないようにする。」（５頁右上欄５行〜右下欄９行）、
（ハ）「一方、かくして打ち止めになったパチンコ機も、一般に良く行なわれているように、一日の中には何回か“打止開放”と称して、再度遊戯者の遊戯に供する場合も多い。そのためには、当該開放する台の制御系を全て初期条件に戻さなければならない。本発明ではこの点に就いても考えられており、適当な形態で良い打止解除スイッチ57が設けられていて、これを操作すると、アンド・ゲート58を介し第一、第二カウンタ22，23及び差数演算器54がリセットされるようになっている。」（９頁右上欄９〜１９行）、
と記載されている
　以上の（イ）〜（ハ）及び第１、４図の記載からみて、引用例２には
　「打止開放時、打止解除スイッチ57を操作し、アンド・ゲート58を介し第一、第二カウンタ22，23及び及び差数演算器54をリセットし、入賞球検出部からの信号に基づく入賞球に関連する情報を該リセット信号に基づいて初期条件に戻すことができる前記第一、第二カウンタ22，23のカウンタ内容に基づいて賞球排出装置７を駆動制御することからなるパチンコ機。」、
という発明が記載されていると認められる。
　　　
（２）対比・判断
　i．本件訂正明細書の請求項１に係る発明と引用例１記載の発明とを比較すると、
　引用例１記載の発明の「満杯」、「第２の景品玉量検出手段」、「入賞玉検出器」及び「マイクロコンピュータ」は、本件訂正明細書の請求項１に係る発明の「所定量」、「満タン検出手段」、「入賞玉検出手段」及び「遊技制御手段」に相当しているから、本件訂正明細書の請求項１に係る発明と引用例１記載の発明とは、
「払い出された景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、入賞玉を検出する入賞玉検出手段と、を備えた弾球遊技機において、前記満タン検出手段及び前記入賞玉検出手段からの信号を、前記電気的遊技装置を駆動制御する遊技制御手段にそれぞれ入力し、該遊技制御手段は、前記満タン検出手段からの信号に基づいて前記景品玉払出装置の電気的駆動源の駆動を停止制御すると共に、前記入賞玉検出手段からの信号に基づく入賞玉に関連する情報の内容に基づいて前記景品玉払出装置の電気的駆動源を駆動制御する弾球遊技機。」である点で一致しているが、以下の点で相違していると認められる。
　相違点
　本件訂正明細書の請求項１に係る発明は、入賞玉に関連する情報の記憶値はリセット信号に基づいて消去可能であるのに対して、引用例１記載の発明は、この構成事項を具備していない点。
　ii．上記相違点を検討すると、
　引用例２には、打止開放時、打止解除スイッチを操作し、第一、第二カウンタ22，23及び差数演算器54をリセットし、入賞球検出部からの信号に基づく入賞球に関連する情報を該リセット信号に基づいて初期条件に戻すことができる前記第一、第二カウンタ22，23のカウンタ内容に基づいて賞球排出装置７を駆動制御することからなるパチンコ機が記載されており、前記カウンタ内容はカウンタ手段を用いたリセット信号に基づいて消去可能な記憶値といえるものであり、上記相違点にかかる本件訂正明細書の請求項１に係る発明の構成要件も、明細書の段落【００２９】に、「中継端子基板１０７には、前記回路基板１４１に設けられる記憶手段（この場合、後述するＲＡＭ１６３）に記憶されている入賞玉に関連する情報の記憶値をリセットするリセットスイッチ１５０が設けられている。これは、打ち止め状態となって遊技機の機能が停止した後、再度遊技機の打ち止め状態を解除しようとしたときに、数値情報が記憶手段に残留していると、その情報に基づいて景品玉が払出されてしまうため、これを防止するために設けられるものである。したがって、遊技機の打ち止めを解除しようとする場合には、遊技場の店員が前面枠３を開放してリセットボタン１５０を押圧する必要がある。」（特許公報第１２欄１〜１２行参照）と記載されるところのものであるからして、上記相違点にかかる本件訂正明細書の請求項１に係る発明の構成要件は、引用例２に記載された発明とは、同一な目的のもとに構成され、機能、作用が共通する技術手段であるということができる。
　よって、引用例１記載の発明に、同じ技術分野に属する引用例２に記載された発明を付加することにより、相違点にかかる本件訂正明細書の請求項１に係る発明の構成のようにすることは、当業者が容易に想到できるものと認められる。
　　
（３）むすび
　以上のとおり、本件訂正明細書の請求項１に係る発明は、特許法第２９条第２項の規定により特許出願の際独立して特許を受けることができないものであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第３項の規定に適合しないので、当該訂正は認められない。
　　　
第３．特許異議申立てについて
１．本件請求項１、２に係る発明
　前記のように本件訂正は認められないから、本件特許第２９０７８１０号の請求項１、２に係る発明（以下、「本件請求項１、２に係る発明」という。）は、特許明細書及び図面の記載からみて、その特許請求の範囲の請求項１、２に記載された次のとおりのものである。
　「【請求項１】　払い出されるべき景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、を備えた弾球遊技機において、　前記満タン検出手段からの信号を、前記電気的遊技装置を駆動制御する遊技制御手段に入力し、該遊技制御手段は、前記満タン検出手段からの信号に基づいて前記景品玉払出装置の電気的駆動源の駆動を停止制御することを特徴とする弾球遊技機。
　【請求項２】　前記遊技制御手段には、入賞玉を検出する入賞玉検出手段からの信号が入力される一方、前記遊技制御手段は、前記入賞玉検出手段からの信号に基づいて前記景品玉払出装置の電気的駆動源をも駆動制御することを特徴とする請求項１記載の弾球遊技機。」
　　　
２．取消理由の概要
　取消理由通知は、異議申立人が甲第１号証として提出した刊行物（特開昭６４−２７５７８号公報、以下「引用刊行物」という。）を引用し、本件請求項１、２に係る発明は、引用刊行物記載の発明に基づいて、当業者が容易に発明をすることができたものであり、本件請求項１、２に係る発明の特許は、特許法第２９条第２項の規定に違反してなされたものであることを理由とし、取り消すべきものであるとしている。
　　
３．引用刊行物記載の発明
　引用刊行物は、上記訂正拒絶理由として引用した引用例１と同じであり、引用刊行物には、上記第２．３．（１）i．に記載のとおりの発明が記載されていると認める。
　　　　
４．対比・判断
　（１）本件請求項１に係る発明について
　本件請求項１に係る発明と引用刊行物記載の発明とを比較すると、
　刊行物記載の発明の「満杯」、「第２の景品玉量検出手段」、「入賞玉検出器」及び「マイクロコンピュータ」は、本件請求項１に係る発明の「所定量」、「満タン検出手段」及び「入賞玉検出手段」、「遊技制御手段」に相当しているから、本件請求項１に係る発明と引用刊行物記載の発明とは、
　「払い出された景品玉が所定量になったことを検出する満タン検出手段と、入賞玉の発生に基づいて所定個数の景品玉を払い出す景品玉払出装置の電気的駆動源と、遊技盤上に設けられた電気的遊技装置と、入賞玉を検出する入賞玉検出手段と、を備えた弾球遊技機において、　前記満タン検出手段を、前記電気的遊技装置を駆動制御する遊技制御手段に入力し、該遊技制御手段は、前記満タン検出手段からの信号に基づいて前記景品玉払出装置の電気的駆動源の駆動を停止制御することを特徴とする弾球遊技機。」、
である点で一致しており、本件明細書に記載されるごとき、遊技制御手段のプログラムの解析を簡単に行なうことができるという発明の目的及び効果は、遊技制御手段として周知慣用のマイクロコンピュータを用いたときに当然予測される自明な技術的事項でしかないから、本件請求項１の発明は、引用刊行物記載の発明に基づいて当業者が容易に発明をすることができたものと認められる。
　　　
　（２）本件請求項２に係る発明について
　本件請求項２に係る発明において限定された「遊技制御手段には、入賞玉を検出する入賞玉検出手段からの信号が入力される一方、前記遊技制御手段は、前記入賞玉検出手段からの信号に基づいて前記景品玉払出装置の電気的駆動源をも駆動制御する」構成要件は、上記第２．３．（１）i．に引用刊行物（引用例１）の記載事項として摘示した（ヘ）〜（チ）、（ヌ）及び（ル）の記載内容からみれば、引用刊行物記載の発明として、「マイクロコンピュータ（本件請求項２に係る発明の「遊技制御手段」に相当する。）は、入賞玉検出器（本件請求項２に係る発明の「入賞玉検出手段」に相当する。）からの信号を受け、電気的景品玉払出装置の電気的駆動源を駆動制御すること」は、自明の事柄にすぎないから、引用刊行物記載の発明と格別相違するものということはできない。
　そして、本件請求項２に係る発明のその他の構成要件は、本件請求項１に係る発明を引用するものであり、上記「（１）本件請求項１に係る発明について」において、判断したとおりである。
　したがって、本件請求項２に係る発明は、引用刊行物記載の発明に基づいて当業者が容易に発明をすることができたものと認められる。
　　　　
５．むすび
　以上のとおりであるから、本件請求項１、２に係る発明は、特許法第２９条第２項の規定により、特許を受けることができない。
　したがって、本件請求項１、２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月２７日（２００１．６．２７）